(57)【要約】      （修正有）【課題】多孔質体による画像からの液体成分の除去において、画像を構成している色材または色材を含む液体部分の多孔質体からの離型性が良く、かつ効率良く画像から液体成分の少なくとも一部を除去可能な多孔質体による液吸収方式を用いたインクジェット記録装置及びインクジェット記録方法を提供する。【解決手段】水性液体成分と色材を含む画像から水を含む液体を撥水性の多孔質体１０５を用いて吸収除去する際に、多孔質体１０５の画像との接触面を、この接触面に対する接触角が９０°未満の湿潤液１１０ａで処理してから、画像からの水性液体成分の多孔質体１０５による吸収除去を行う。【選択図】図３
2017213848.tif 000002
【特許請求の範囲】
【請求項１】
被記録体上に、色材を含むインクと、前記インクを粘稠する反応液とを付与することで、水性液体成分と色材とを含む第一の画像を形成する画像形成工程と、
液吸収部材の撥水性を有する多孔質体の第一の面を、前記被記録体上の前記第一の画像に接触させて、前記第一の画像から前記水性液体成分の少なくとも一部を吸収する液吸収工程と、
を有するインクジェット記録方法であって、
前記第一の面に、当該第一の面に対する接触角が９０°未満の湿潤液を付与して湿潤処理する湿潤処理工程をさらに有し、
前記液吸収工程は、前記湿潤処理工程によって湿潤された第一の面を前記第一の画像に接触させることを特徴とするインクジェット記録方法。
【請求項２】
前記インクが、前記反応液によって凝集される樹脂微粒子を含むことを特徴とする請求項１に記載のインクジェット記録方法。
【請求項３】
前記色材が、顔料を含む請求項１または２に記載のインクジェット記録方法。
【請求項４】
前記第一の面を前記第一の画像に接触する前に、前記第一の面に前記湿潤液を予め付与する工程を有する請求項１乃至３のいずれか１項に記載のインクジェット記録方法。
【請求項５】
前記第一の画像に含まれる水性液体成分の、前記多孔質体の第一の面に対する接触角が９０°未満である請求項１乃至４のいずれか１項に記載のインクジェット記録方法。
【請求項６】
前記湿潤液が、水と界面活性剤を含む請求項１乃至５のいずれか１項に記載のインクジェット記録方法。
【請求項７】
前記界面活性剤が、シリコーン系界面活性剤またはフッ素系界面活性剤である請求項６に記載のインクジェット記録方法。
【請求項８】
前記多孔質体の第一の面と、前記第一の画像の接触時の温度を、前記界面活性剤の曇点未満の温度に制御する請求項６または７に記載のインクジェット記録方法。
【請求項９】
前記多孔質体の前記第一の面に対する水の接触角が９０°以上である請求項１乃至８のいずれか１項に記載のインクジェット記録方法。
【請求項１０】
前記多孔質体が、ポリテトラフルオロエチレンを含む撥水性樹脂を含む請求項１乃至９のいずれか１項に記載のインクジェット記録方法。
【請求項１１】
前記被記録体は、前記第一の画像と、前記第一の画像から前記水性液体成分の少なくとも一部が除去された第二の画像とを一時的に保持する転写体であって、最終画像を形成するための記録媒体に該第二の画像を転写する工程を有する請求項１乃至１０のいずれか１項に記載のインクジェット記録方法。
【請求項１２】
前記被記録体は、最終画像を形成するための記録媒体であり、該記録媒体上で前記第一の画像から前記水性液体成分の少なくとも一部が除去された第二の画像の形成が行われる請求項１乃至１０のいずれか１項に記載のインクジェット記録方法。
【請求項１３】
前記画像形成工程は、前記被記録体に前記反応液を付与する工程と、前記被記録体にインクを付与する工程と、をこの順に有する請求項１乃至１２のいずれか１項に記載のインクジェット記録方法。
【請求項１４】
被記録体上に、色材を含むインクと、前記インクを粘稠する反応液とを付与することで、水性液体成分と色材とを含む第一の画像を形成する画像形成工程と、
液吸収部材の撥水性を有する多孔質体の第一の面を、前記記録媒体の前記第一の画像に接触させて、前記第一の画像を構成するインクを濃縮する液吸収工程と、
を有するインクジェット記録方法であって、
前記第一の面に、当該第一の面に対する接触角が９０°未満の湿潤液を付与して湿潤処理する湿潤処理工程をさらに有し、
前記液吸収工程は、前記湿潤処理工程によって湿潤された第一の面を前記第一の画像に接触させることを特徴とするインクジェット記録方法。
【請求項１５】
被記録体上に、色材を含むインクと、前記インクを粘稠する反応液とを付与することで、水性液体成分と色材とを含む第一の画像を形成する画像形成ユニットと、
撥水性の第一の面を有し、前記第一の面を前記被記録体上の前記第一の画像に接触させることで、前記第一の画像から前記水性液体成分の少なくとも一部を吸収する多孔質体を有する液吸収部材と、を有するインクジェット記録装置であって、
前記第一の面に、当該第一の面に対する接触角が９０°未満の湿潤液を、前記第一の面に付与して湿潤処理する湿潤処理部をさらに有する、
ことを特徴とするインクジェット記録装置。
【請求項１６】
前記インクが、前記反応液によって凝集される樹脂微粒子を含むことを特徴とする請求項１５に記載のインクジェット記録装置。
【請求項１７】
前記色材が、顔料を含む請求項１５または１６に記載のインクジェット記録装置。
【請求項１８】
前記湿潤処理部は、前記湿潤液の収容部と、該収容部に収容された湿潤液を前記多孔質体の第一の面に付与する湿潤液付与部とを有する請求項１５乃至１７のいずれか１項に記載のインクジェット記録装置。
【請求項１９】
前記第一の画像に含まれる水性液体成分の、前記多孔質体の第一面に対する接触角が９０°未満である請求項１５乃至１８のいずれか１項に記載のインクジェット記録装置。
【請求項２０】
前記湿潤液が、水と界面活性剤を含む請求項１５乃至１９のいずれか１項に記載のインクジェット記録装置。
【請求項２１】
前記界面活性剤が、シリコーン系界面活性剤またはフッ素系界面活性剤である請求項２０に記載のインクジェット記録装置。
【請求項２２】
前記多孔質体の第一の面と、前記第一の画像の接触時の温度を、前記界面活性剤の曇点未満の温度に制御する温度制御部を有する請求項２０または２１に記載のインクジェット記録装置。
【請求項２３】
前記多孔質体の前記第一の面に対する水の接触角が９０°以上である請求項１５乃至２２のいずれか１項に記載のインクジェット記録装置。
【請求項２４】
前記多孔質体が、ポリテトラフルオロエチレンを含む撥水性樹脂を含む請求項２３に記載のインクジェット記録装置。
【請求項２５】
前記被記録体は、前記第一の画像と、前記第一の画像から前記水性液体成分の少なくとも一部が除去された第二の画像とを一時的に保持する転写体であって、最終画像を形成するための記録媒体に該第二の画像を転写する転写部を有する請求項１５乃至２４のいずれか１項に記載のインクジェット記録装置。
【請求項２６】
前記被記録体は、最終画像を形成するための記録媒体であり、該記録媒体上で前記第一の画像から前記水性液体成分の少なくとも一部が前記液吸収部材により除去された第二の画像の形成が行われる請求項１５乃至２４のいずれか１項に記載のインクジェット記録装置。
【請求項２７】
被記録体上に、色材を含むインクと、前記インクを粘稠する反応液とを付与することで、水性液体成分と色材とを含む第一の画像を形成する画像形成ユニットと、
撥水性の第一の面を有し、前記第一の面を前記被記録体上の前記第一の画像に接触させることで、前記第一の画像を構成するインクを濃縮する多孔質体を有する液吸収部材と、を有するインクジェット記録装置であって、
前記第一の面に、当該第一の面に対する接触角が９０°未満の湿潤液を、前記第一の面に付与して湿潤処理する湿潤処理部をさらに有する、
ことを特徴とするインクジェット記録装置。
【発明の詳細な説明】
【技術分野】
【０００１】
本発明は、インクジェット記録装置及びインクジェット記録方法に関する。
【背景技術】
【０００２】
インクジェット記録方式では、色材を含む液体組成物（インク）を紙等の記録媒体上に直接または間接的に付与することで画像を形成している。この時、記録媒体がインク中の液体成分を過剰に吸収することによるカールや、コックリングが生じることがある。
【０００３】
そこで、インク中の液体成分を速やかに除去するため、記録媒体を温風や赤外線等の手段を用いて乾燥する方法や、転写体上で画像を形成し、その後転写体上の画像に含まれる液体成分を熱エネルギー等により乾燥した後、紙等の記録媒体に画像を転写する方法がある。
【０００４】
さらに、転写体上の画像に含まれる液体成分を除去する手段として、熱エネルギーを用いずに、ローラ状の多孔質体をインク画像と接触させてインク画像から液体成分を吸収して除去する方法が提案されている（特許文献１）。また、ベルト状の高分子吸収体をインク画像と接触させてインク画像から液体成分を吸収して除去する方法が提案されている（特許文献２）。
【先行技術文献】
【特許文献】
【０００５】
【特許文献１】特開２００９−４５８５１号公報
【特許文献２】特開２００１−１７９９５９号公報
【発明の概要】
【発明が解決しようとする課題】
【０００６】
多孔質体を画像に接触させて、画像中から液体成分を除去する場合、効率良く画像から液体成分を除去すると共に、画像を構成している色材が多孔質体の表面に付着することによる画質の低下を抑制する必要がある。多孔質体を画像に接触させた際に、画像からの液体成分を効率良く除去できない場合、インク中の液体、色材、色材以外の固形分等の一部が画像後端側に押し流される、いわゆる「画像流れ」が発生しやすくなる。
【０００７】
特許文献１においては、インク像の溶媒を除去する溶媒除去部のローラ状多孔質体の吸収材として金属多孔質体（アルミナ粒子を焼結した材質）が利用されている。しかしながら、特許文献１には、この吸収材への色材の付着の抑制と画像からの液体（溶媒）成分の効率的な除去とを両立するための多孔質体の構成についての開示はない。
【０００８】
特許文献２において用いられているインク吸収体は、インクの液体溶媒を吸収する液体溶媒吸収体と、液体溶媒吸収体の表面の少なくとも一部を覆い、インクの着色剤との離型性を有し且つインクの液体溶媒を透過する離型部材とを有している。しかしながら、離型部材によって、インクの着色剤の液体溶媒吸収体への付着を抑制しているものの、離型部材の材質によっては、離型部材におけるインクの液体溶媒成分の透過性が十分ではなく、画像からの液体溶媒成分の吸収除去効率を向上させることができない場合があった。
【０００９】
本発明の目的は、多孔質体を画像に接触させることで、画像から液体成分を除去すると共に、画像を構成している色材の多孔質体への付着を抑制することが可能なインクジェット記録装置及びインクジェット記録方法を提供することにある。
【課題を解決するための手段】
【００１０】
本発明にかかるインクジェット記録方法は、
被記録体上に、色材を含むインクと、前記インクを粘稠する反応液とを付与することで、水性液体成分と色材とを含む第一の画像を形成する画像形成工程と、
液吸収部材の撥水性を有する多孔質体の第一の面を、前記被記録体上の前記第一の画像に接触させて、前記第一の画像から前記水性液体成分の少なくとも一部を吸収する液吸収工程と、
を有するインクジェット記録方法であって、
前記第一の面に、当該第一の面に対する接触角が９０°未満の湿潤液を付与して湿潤処理する湿潤処理工程をさらに有し、
前記液吸収工程は、前記湿潤処理工程によって湿潤された第一の面を前記第一の画像に接触させることを特徴とする。
また、本発明にかかるインクジェット記録方法は、
被記録体上に、色材を含むインクと、前記インクを粘稠する反応液とを付与することで、水性液体成分と色材とを含む第一の画像を形成する画像形成工程と、
液吸収部材の撥水性を有する多孔質体の第一の面を、前記記録媒体の前記第一の画像に接触させて、前記第一の画像を構成するインクを濃縮する液吸収工程と、
を有するインクジェット記録方法であって、
前記第一の面に、当該第一の面に対する接触角が９０°未満の湿潤液を付与して湿潤処理する湿潤処理工程をさらに有し、
前記液吸収工程は、前記湿潤処理工程によって湿潤された第一の面を前記第一の画像に接触させることを特徴とする。
【００１１】
本発明にかかるインクジェット記録装置は、
被記録体上に、色材を含むインクと、前記インクを粘稠する反応液とを付与することで、水性液体成分と色材とを含む第一の画像を形成する画像形成ユニットと、
撥水性の第一の面を有し、前記第一の面を前記被記録体上の前記第一の画像に接触させることで、前記第一の画像から前記水性液体成分の少なくとも一部を吸収する多孔質体を有する液吸収部材と、
を有するインクジェット記録装置であって、
前記第一の面に、当該第一の面に対する接触角が９０°未満の湿潤液を、前記第一の面に付与して湿潤処理する湿潤処理部をさらに有する、
ことを特徴とする。
また、本発明にかかるインクジェット記録装置は、
被記録体上に、色材を含むインクと、前記インクを粘稠する反応液とを付与することで、水性液体成分と色材とを含む第一の画像を形成する画像形成ユニットと、
撥水性の第一の面を有し、前記第一の面を前記被記録体上の前記第一の画像に接触させることで、前記第一の画像を構成するインクを濃縮する多孔質体を有する液吸収部材と、を有するインクジェット記録装置であって、
前記第一の面に、当該第一の面に対する接触角が９０°未満の湿潤液を、前記第一の面に付与して湿潤処理する湿潤処理部をさらに有する、
ことを特徴とする。
【発明の効果】
【００１２】
本発明によれば、多孔質体を画像に接触させることで、画像から液体成分を除去すると共に、画像を構成している色材の多孔質体への付着を抑制することが可能なインクジェット記録装置及びインクジェット記録方法を提供することができる。
【図面の簡単な説明】
【００１３】
【図１】湿潤液によって湿潤された多孔質体の第一の面を第一の画像に接触させる前の状態を示す模式図である。
【図２】湿潤液によって湿潤された多孔質体の第一の面を第一の画像に接触させた時の状態を示す模式図である。
【図３】本発明の一実施形態における転写型インクジェット記録装置の構成の一例を示す模式図である。
【図４】本発明の一実施形態における直接描画型インクジェット記録装置の構成の一例を示す模式図である。
【図５】液吸収部材に対する、ローラ加圧方式の湿潤液付与部材による湿潤液付与部の拡大図である。
【図６】図３、４に示すインクジェット記録装置における、装置全体の制御システムを示すブロック図である。
【図７】図３に示す転写型インクジェット記録装置におけるプリンタ制御部のブロック図である。
【図８】図４に示す直接描画型インクジェット記録装置におけるプリンタ制御部のブロック図である。
【発明を実施するための形態】
【００１４】
本発明にかかるインクジェット記録方法は、被記録体上に、水性液体成分と色材とを含む第一の画像、すなわち液吸収処理の対象である被処理画像を形成する画像形成工程と、第一の画像から水性液体成分の少なくとも一部を、液吸収部材が有する多孔質体を第一の画像に接触させることにより吸収する液吸収工程とを有する。被記録体への色材を含むインクの付与はインクジェット法により行なわれる。
【００１５】
液吸収部材は、水性液体成分の吸収性を有する撥水性の多孔質体を有する。この多孔質体は第一の画像に接触する接触面としての第一の面を有する。この多孔質体の第一の面を介して第一の画像に含まれる水性液体成分の少なくとも一部が多孔質体に吸収される。
【００１６】
本発明にかかるインクジェット記録方法は、この多孔質体の第一の面に、この第一の面に対する接触角が９０°未満の湿潤液を付与して湿潤処理する湿潤処理工程を更に有する。そして、この湿潤処理工程によって湿潤された第一の面を第一の画像に接触させることで、湿潤液が付与された多孔質体の第一の面を介して、第一の画像から水性液体成分を吸収する液吸収工程が行なわれる。
【００１７】
多孔質体の第一の面に、この湿潤液を付与する湿潤処理は、以下の方法の少なくとも一方により行うことが好ましい。
（１）湿潤液を収容部に収容し、収容部から湿潤液が多孔質体の第一の面に供給されることによって、多孔質体の第一の面の湿潤処理を行う方法。
（２）第一の画像に含まれる水性液体成分に湿潤液としての機能を持たせ、第一の画像に多孔質体の第一の面が接触した際に、第一の画像から多孔質体の第一の面に湿潤液が供給されることによって、多孔質体の第一の面の湿潤処理を行う方法。
また、画像形成工程は、被記録体に反応液を付与する工程と、被記録体にインクを付与する工程とを有することが好ましい。このとき、被記録体上において、反応液が付与される領域と、インクが付与される領域とは少なくとも一部で重なっている。すなわち、被記録体上において反応液とインクとを接触させて第一の画像を形成することが好ましい。また、被記録体に反応液を付与する工程と、被記録体にインクを付与する工程の順序は特に限定されないが、画像の高画質化の観点から、画像形成工程は、被記録体に反応液を付与する工程と、被記録体にインクを付与する工程と、をこの順に有することが好ましい。すなわち、画像形成工程は、被記録体に反応液を付与する工程と、被記録体に、該反応液を付与した領域と少なくとも一部が重なるようにインクを付与する工程とを、この順に有することが好ましい。
【００１８】
本発明にかかるインクジェット記録方法に用いるインクジェット記録装置は、少なくとも、被記録体上に水性液体成分と色材とを含む第一の画像を形成する画像形成ユニットと、撥水性を有する第一の面を有し、前記第一の面を前記第一の画像に接触させることで、前記第一の画像から前記水性液体成分の少なくとも一部を吸収する多孔質体を有する液吸収部材と、を備える。また、画像形成ユニットは、被記録体上に反応液を付与する反応液付与部と、被記録体上に色材を含むインクを付与するインクジェット記録部とを有する。
【００１９】
このインクジェット記録装置は、更に、多孔質体の第一の面に対する接触角が９０°未満の湿潤液を、前記多孔質体の第一の面に付与して湿潤処理する湿潤処理部を有する。湿潤処理部の構成としては、以下の構成の少なくとも一方を用いることが好ましい。
（Ａ）湿潤液を収容する収容部と、収容部から湿潤液を多孔質体の第一の面に供給する湿潤液付与部とを有する構成。
（Ｂ）第一の画像に含まれる水性液体成分に湿潤液としての機能を持たせ、第一の画像に多孔質体の第一の面が接触した際に、第一の画像から多孔質体の第一の面に湿潤液が供給されることによって、多孔質体の第一の面の湿潤処理が行われるように、被記録体上の第一の画像が形成された領域が湿潤処理部を兼ねる構成。
【００２０】
液吸収部材の多孔質体を被記録体上の水性液体成分と色材とを含む第一の画像と接触させることで、第一の画像から水性液体成分の少なくとも一部が除去される。この結果、紙などの記録媒体が第一の画像中の水性液体成分を過剰に吸収することによるカールや、コックリングが抑制される。
【００２１】
本発明においては、水性液体成分と色材を含む第一の画像から水性液体成分の少なくとも一部を吸収する液吸収部材は、色材に対して離型性を有する（すなわち、色材に対する親和性を低くする）必要がある。そのため、多孔質体としては、撥水性の第一の面を有する多孔質体が用いられる。その結果、多孔質体の第一の面を第一の画像に接触させて液吸収処理を行い、その後、第一の面を画像から剥離して水性液体成分の含有量が低減された第二の画像を得る際に、多孔質体への色材付着を抑制することができる。撥水性の多孔質体が色材付着を抑制できるメカニズムの詳細は不明であるが、本発明者らは、以下のように推測している。多孔質体への色材の付着のしやすさの要因の一つとして、多孔質体の表面自由エネルギーと、色材（または色材と樹脂等で構成される凝集物）の表面自由エネルギーとの関係が考えられる。２つの物質の表面自由エネルギーが近いほど、この２つの物質は付着しやすくなる。また、撥水性を有する物質は親水性を有する物質よりも表面自由エネルギーが低い。そのため、撥水性の多孔質体を用いることにより、多孔質体と、色材との間の表面自由エネルギーの差が大きくなったため、多孔質体への色材の付着が抑制できたものと推測している。
【００２２】
更に、多孔質体の第一の面が湿潤液によって処理された状態で第一の画像に接触することによって、多孔質体の第一の面が撥水性を有している場合であっても、湿潤液の含浸領域は第一の画像に含まれる水性液体成分への濡れ性が良好となる。その結果、この水性液体成分への濡れ性が向上した湿潤液の含浸領域を経由して、第一の画像の水性液体成分を撥水性の多孔質体に吸収することが可能となる。そのため、効率良い液吸収処理を撥水性の多孔質体において行うことが可能となる。
この第一の画像の水性液体成分が撥水性の多孔質体に吸収される現象について図を用いてより詳細に説明する。
図１は、湿潤液によって湿潤された多孔質体の第一の面を第一の画像に接触させる前の状態を示す模式図である。また、図２は、湿潤液によって湿潤された多孔質体の第一の面を第一の画像に接触させた時の状態を示す模式図である。図１及び２において、１は撥水性の多孔質体、２は湿潤液、３は第一の画像、４は被記録体、５は水性液体成分、６は第二の画像である。図１に記載のように、第一の画像３と接触する面である多孔質体１の第一の面には、湿潤液２が保持されている。この湿潤液２は多孔質体１の第一の面に対する接触角が９０°未満であるため、撥水性である第一の面を湿潤させることができる。図２に記載のように、この湿潤液２で湿潤処理がされた撥水性を有する多孔質体１の第一の面を、第一の画像３に接触させた場合、第一の画像３から水性液体成分５を多孔質体１に吸収させることができ、水性液体成分が除去された第二の画像を得ることができる。この現象に関しての詳細は不明であるが、本発明者らは以下のように推測している。この湿潤液２で湿潤処理がされていない状態で多孔質体１を第一の画像３に接触させたとしても、多孔質体の第一の面が撥水性であるため、第一の画像３から水性液体成分を多孔質体１に吸収させることが困難となる。一方、本発明のように、多孔質体１の第一の面を湿潤液２によって湿潤させることで、この湿潤液を介して、撥水性の多孔質体が第一の画像中の水性液体成分を吸収することができるようになったとものと考えられる。
このように、撥水性を有する第一の面を有する多孔質体であることによって、画像からの色材付着を抑制しつつ、かつ、この第一の面に湿潤液を付与することによって、第一の画像から水性液体成分を効率良く吸収することができる。
【００２３】
なお、本発明において、撥水性を有する多孔質体とは、水の接触角が９０°以上である多孔質体のことである。すなわち、この撥水性を有する多孔質体の第一の画像との接触面（第一の面）に対する水の接触角も９０°以上である。
【００２４】
本発明のインクジェット記録装置において、画像形成ユニットとしては、被記録体上に色材を含むインクと、前記インクを粘稠する反応液とを付与することで、水性液体成分と色材とを含む第一の画像を形成できるものであれば、特に限定されるものではない。画像形成ユニットは、好ましくは、１）反応液を被記録体上に付与する反応液付与部を構成する装置と、２）水性液媒体と色材を含むインクを被記録体上に付与するインク付与部を構成する装置と、を有する。
【００２５】
なお、第一の画像とは、液吸収処理に供される前の液除去前インク像のことであり、第二の画像とは、液吸収処理を行って水性液体成分の含有量が低減された液除去後インク像のことである。第一の画像は、反応液とインクを、これらが少なくとも重複する領域を有するように被記録体に付与することによって形成される。反応液により被記録体上にインクとともに付与された色材の定着性が向上する。この色材の定着性の向上は、被記録体に付与されたインクが流動性を有している初期状態から、反応液の作用によってインク自体のあるいはインク中の色材の流動性が低下して、初期状態と比較して流動し難い固定化された状態となることを言う。インクが粘稠される、とも表現できる。そのメカニズムについては後述する。
【００２６】
第一の画像は、反応液及びインクの混合物を含んで形成される。インクには水を含む水性液媒体が含まれており、また、必要に応じて反応液にも水を含む水性液媒体が含まれていてもよい。これらの液体組成物から得られる第一の画像には、これらの水性液媒体から供給される水を含む水性液体成分が色材ともに含まれる。
【００２７】
通常、インクは、色材を含有するインクであり、インクを被記録体上に付与する装置は、インクジェット記録デバイスである。また、反応液は、インクと化学的または物理的に作用して、反応液とインクの混合物を、前記反応液、インクのそれぞれよりも粘稠させて色材の定着性を向上させる成分を含むことができる。反応液は、水性液媒体を含むことができる。水性液媒体は、少なくとも水を含み、必要に応じて水溶性有機溶媒や各種の添加剤を含む。
反応液及びインクの少なくとも一方には、水を第一の液体とした場合に、それ以外の第二の液体を含んでいてもよい。第二の液体の揮発性の高低は問わないが、第一の液体よりも揮発性の高い液体であることが好ましい。
【００２８】
以下、本発明の一実施形態について説明する。以下において、反応液付与部として「反応液付与装置」、インク付与部として「インク付与装置」を用いている。また、以降においては、液吸収部材に用いられる多孔質体への前処理として、湿潤液によって多孔質体を予め湿らせておく処理を説明する。
【００２９】
＜反応液付与装置＞
反応液付与装置は、反応液を被記録体上に付与できるいかなる装置であってもよく、従来知られている各種装置を適宜用いる事ができる。具体的には、グラビアオフセットローラ、インクジェットヘッド、ダイコーティング装置（ダイコータ）、ブレードコーティング装置（ブレードコータ）などが挙げられる。反応液付与装置による反応液の付与は、被記録体上でインクと混合（反応）することができれば、インクの付与前に行っても、インクの付与後に行ってもよい。好ましくは、インクの付与前に反応液を付与する。反応液をインクの付与前に付与することによって、インクジェット方式による画像記録時に、隣接して付与されたインク同士が混ざり合うブリーディングや、先に着弾したインクが後に着弾したインクに引き寄せられてしまうビーディングを抑制することもできる。
【００３０】
＜反応液＞
反応液は、インクを高粘度化する成分（インク高粘度化成分）を含有する。ここで、インクの高粘度化とは、インクを構成している成分である色材や樹脂等がインク高粘度化成分と接触することによって化学的に反応し、あるいは物理的に吸着し、これによってインク粘度の上昇が認められることである。このインクの高粘度化には、インク粘度の上昇が認められる場合のみならず、色材や樹脂などのインクを構成する成分の一部が凝集する事により局所的に粘度の上昇を生じる場合も含まれる。
【００３１】
このインク高粘度化成分は被記録体上でのインク及び／又はインクを構成している成分の一部の流動性を低下せしめて、第一の画像形成時のブリーディングや、ビーディングを抑制する効果がある。本発明において、インクを高粘度化することを“インクを粘稠する”とも称する。このようなインク高粘度化成分として、多価の金属イオン、有機酸、カチオンポリマー、多孔質性微粒子などの公知のものを用いることができる。中でも、特に多価の金属イオン及び有機酸が好適である。また、複数の種類のインク高粘度化成分を含有させることも好適である。尚、反応液中のインク高粘度化成分の含有量は、反応液全質量に対して５質量％以上であることが好ましい。
【００３２】
多価金属イオンとしては、例えば、Ｃａ２＋、Ｃｕ２＋、Ｎｉ２＋、Ｍｇ２＋、Ｓｒ２＋、Ｂａ２＋及びＺｎ２＋等の二価の金属イオンや、Ｆｅ３＋、Ｃｒ３＋、Ｙ３＋及びＡｌ３＋等の三価の金属イオンが挙げられる。
【００３３】
また有機酸としては、例えば、シュウ酸、ポリアクリル酸、ギ酸、酢酸、プロピオン酸、グリコール酸、マロン酸、リンゴ酸、マレイン酸、アスコルビン酸、レブリン酸、コハク酸、グルタル酸、グルタミン酸、フマル酸、クエン酸、酒石酸、乳酸、ピロリドンカルボン酸、ピロンカルボン酸、ピロールカルボン酸、フランカルボン酸、ピリジンカルボン酸、クマリン酸、チオフェンカルボン酸、ニコチン酸、オキシコハク酸、ジオキシコハク酸等が挙げられる。
【００３４】
反応液は水性液媒体として水や低揮発性の有機溶剤を適量含有することができる。この場合に用いる水はイオン交換等により脱イオンした水であることが好ましい。また本発明に適用される反応液に用いることのできる有機溶剤としては特に限定されず、公知の有機溶剤を用いることができる。
【００３５】
また、反応液は界面活性剤や粘度調整剤を加えてその表面張力や粘度を適宜調整して用いることが好ましい。用いられる材料としてはインク高粘度化成分と共存できるものであれば特に制限は無い。具体的に用いられる界面活性剤としては、アセチレングリコールエチレンオキシド付加物（「アセチレノールＥ１００」川研ファインケミカル株式会社製  商品名）、パーフルオロアルキルエチレンオキシド付加物（「メガファックＦ４４４」ＤＩＣ株式会社製  商品名、「ＣａｐｓｔｏｎｅＦＳ−３１００」Ｔｈｅ  Ｃｈｅｍｏｕｒｓ  ＣｏｍｐａｎｙＬＬＣ  商品名、ＺｏｎｙｌＦＳ３１００デュポン社製  商品名  等）のフッ素系界面活性剤、ポリエーテル変性ポリジメチルシロキサン付加物（「ＢＹＫ３４９」ＢＹＫ社製  商品名）のシリコーン系界面活性剤等が挙げられる。
【００３６】
なお、インクに反応液を作用させて得られる水性液体成分を湿潤液として利用することができる。この場合には、この混合物（水性液体成分）の撥水性の多孔質体の第一の面に対する接触角が９０°未満となるように、インク及び／または反応液の組成を調整する。この混合物の接触角の調整は、インク及び／または反応液に添加する界面活性剤の種類や添加量の選択によって行うことができる。
【００３７】
＜インク付与装置＞
インクを付与するインク付与装置として、インクジェットヘッドを用いる。インクジェットヘッドとしては、例えば電気−熱変換体によりインクに膜沸騰を生じさせ気泡を形成することでインクを吐出する形態、電気−機械変換体によってインクを吐出する形態、静電気を利用してインクを吐出する形態等が挙げられる。本発明では、公知のインクジェットヘッドを用いることができる。中でも特に高速で高密度の印刷の観点からは電気−熱変換体を利用したものが好適に用いられる。描画は画像信号を受け、各位置に必要なインク量を付与する。
【００３８】
インク付与量は画像濃度（ｄｕｔｙ）やインク厚みで表現することができるが、本発明では各インクドットの質量に付与個数を掛け、印字面積で割った平均値をインク付与量（ｇ／ｍ２）とした。尚、画像領域における最大インク付与量とは、インク中の液体成分を除去する観点より、被記録体の情報として用いられる領域内において、少なくとも５ｍｍ２以上の面積において付与されているインク付与量を示す。
【００３９】
本発明のインクジェット記録装置は、被記録体上に各色のインクを付与するために、インクジェットヘッドを複数有していてもよい。例えば、イエローインク、マゼンタインク、シアンインク、ブラックインクを用いてそれぞれの色画像を形成する場合、インクジェット記録装置は上記４種類のインクを被記録体上にそれぞれ吐出する４つのインクジェットヘッドを有する。
【００４０】
また、インク付与装置は、色材を含有しないインク（クリアインク）を吐出するインクジェットヘッドを含んでいてもよい。
【００４１】
＜インク＞
本発明に適用されるインクの各成分について説明する。
（色材）
本発明に適用されるインクに含有される色材は、顔料を含むことが好ましい。例えば、色材として顔料、又は染料と顔料との混合物を用いることが好ましい。色材として用いることができる顔料の種類は特に限定されない。顔料の具体例としては、カーボンブラックなどの無機顔料；アゾ系、フタロシアニン系、キナクリドン系、イソインドリノン系、イミダゾロン系、ジケトピロロピロール系、ジオキサジン系などの有機顔料を挙げることができる。これらの顔料は、必要に応じて１種又は２種以上を用いることができる。
【００４２】
色材として用いることができる染料の種類は特に限定されない。染料の具体例としては、直接染料、酸性染料、塩基性染料、分散染料、食用染料などを挙げることができ、アニオン性基を有する染料を用いることができる。染料骨格の具体例としては、アゾ骨格、トリフェニルメタン骨格、フタロシアニン骨格、アザフタロシアニン骨格、キサンテン骨格、アントラピリドン骨格などが挙げられる。
【００４３】
インク中の顔料の含有量は、インク全質量に対し０．５質量％以上１５．０質量％以下であることが好ましく、１．０質量％以上１０．０質量％以下であることがより好ましい。
【００４４】
（分散剤）
顔料を分散させる分散剤としては、インクジェット用インクに用いられる公知の分散剤を使用することができる。中でも本発明の態様においては構造中に親水性部と撥水性部とを併せ持つ水溶性の分散剤を用いることが好ましい。特に、少なくとも親水性のモノマーと撥水性のモノマーとを含んで共重合させた樹脂からなる顔料分散剤が好ましく用いられる。ここで用いられる各モノマーについては特に制限はなく、公知のものが好適に用いられる。具体的には、撥水性モノマーとしては、スチレン及びその他のスチレン誘導体、アルキル（メタ）アクリレート、ベンジル（メタ）アクリレート等が挙げられる。また親水性モノマーとしては、アクリル酸、メタクリル酸、マレイン酸等が挙げられる。
【００４５】
該分散剤の酸価は５０ｍｇＫＯＨ／ｇ以上５５０ｍｇＫＯＨ／ｇ以下であることが好ましい。また、該分散剤の重量平均分子量は１０００以上５００００以下であることが好ましい。尚、顔料と分散剤との質量比（顔料：分散剤）としては１：０．１〜１：３の範囲であることが好ましい。
【００４６】
また分散剤を用いず、顔料自体を表面改質して分散可能としたいわゆる自己分散顔料を用いることも本発明において好適である。
【００４７】
（樹脂微粒子）
本発明に適用されるインクは、色材を有しない各種微粒子を含有させて用いてもよい。中でも樹脂微粒子は画像品位や定着性の向上に効果がある場合があり好適である。また、反応液により凝集することにより、より定着性の向上に効果がある場合があり、より好適である。
【００４８】
本発明に用いることのできる樹脂微粒子の材質としては、特に限定されず公知の樹脂を適宜用いることができる。具体的には、ポリオレフィン、ポリスチレン、ポリウレタン、ポリエステル、ポリエーテル、ポリ尿素、ポリアミド、ポリビニルアルコール、ポリ（メタ）アクリル酸及びその塩、ポリ（メタ）アクリル酸アルキル、ポリジエン等の単独重合物、または、これらの単独重合物を生成するためのモノマーを複数組み合わせて重合した共重合物が挙げられる。該樹脂の重量平均分子量（Ｍｗ）は、１，０００以上２，０００，０００以下の範囲が好適である。またインク中における樹脂微粒子の量は、インク全質量に対して１質量％以上５０質量％以下が好ましく、より好ましくは２質量％以上４０質量％以下である。
【００４９】
さらに本発明の態様においては、該樹脂微粒子が液中に分散した樹脂微粒子分散体として用いることが好ましい。分散の手法については特に限定はないが、解離性基を有するモノマーを単独重合もしくは複数種共重合させた樹脂を用いて分散させたいわゆる自己分散型樹脂微粒子分散体は好適である。ここで解離性基としてはカルボキシル基、スルホン酸基、リン酸基等が挙げられ、この解離性基を有するモノマーとしてはアクリル酸やメタクリル酸等が挙げられる。また、乳化剤により樹脂微粒子を分散させたいわゆる乳化分散型樹脂微粒子分散体も、同様に本発明に好適に用いることができる。ここで言う乳化剤としては、低分子量、高分子量に関わらず公知の界面活性剤が好ましい。該界面活性剤は、ノニオン性界面活性剤か、もしくは樹脂微粒子と同じ電荷を持つ界面活性剤が好ましい。
【００５０】
本発明の態様に用いる樹脂微粒子分散体は、１０ｎｍ以上１０００ｎｍ以下の分散粒径を有することが好ましく、さらに５０ｎｍ以上５００ｎｍ以下の分散粒径を有することがより好ましく、１００ｎｍ以上５００ｎｍ以下の分散粒径を有することが更に好ましい。また本発明の態様に用いる樹脂微粒子分散体を作製する際に、安定化のために各種添加剤を加えておくことも好ましい。該添加剤としては、例えば、ｎ−ヘキサデカン、メタクリル酸ドデシル、メタクリル酸ステアリル、クロロベンゼン、ドデシルメルカプタン、青色染料（ブルーイング剤）、ポリメチルメタクリレート等が挙げられる。
【００５１】
（硬化成分）
本発明では、反応液またはインクのいずれかに活性エネルギー線で硬化する成分を含有することが好ましい。活性エネルギー線で硬化する成分を液吸収工程前に硬化させることで、液吸収部材への色材付着が抑制される場合がある。
【００５２】
本発明に用いる活性エネルギー線の照射により硬化する成分としては、活性エネルギー線の照射により硬化し照射前より不溶性となる成分を用いる。例としては一般的な紫外線硬化樹脂を用いることが出来る。紫外線硬化性樹脂は水に溶けないものが多いが、本発明に好適に用いられる水系インクに適応出来る材料としては、その構造に紫外線で硬化可能なエチレン性不飽和結合を少なくとも有し、且つ親水性の結合基を持つことが好ましい。親水性をもつための結合基としては例えば、水酸基、カルボキシル基、燐酸基、スルホン酸基およびこれらの塩、エーテル結合、アミド結合などが挙げられる。また、本発明に用いられる該硬化する成分は親水性のものが好ましい。また、活性エネルギー線としては、紫外線、赤外線、電子線などが挙げられる。
【００５３】
さらに、本発明では反応液またはインクのいずれかに重合開始剤を含むことが好ましい。本発明に用いられる重合開始剤は、活性エネルギー線によってラジカルを生成する化合物であればいずれのものでもよい。
【００５４】
さらに、反応速度を向上させるために光の吸収波長を広げる役割を有する増感材を併用することも極めて好ましい形態の一つである。
【００５５】
（界面活性剤）
本発明に用いることのできるインクは界面活性剤を含んでもよい。界面活性剤としては、具体的には、アセチレングリコールエチレンオキシド付加物（アセチレノ−ルＥ１００、川研ファインケミカル株式会社製）等が挙げられる。インク中の界面活性剤の量は、インク全質量に対して０．０１質量％以上５．０質量％以下であることが好ましい。
【００５６】
なお、先に反応液の項で述べた通り、インクに反応液を作用させて得られる水性液体成分の多孔質体の第一の面に対する接触角が９０°未満となるように、インク及び／または反応液の組成を調整することができる。この混合物の接触角の調整は、インク及び／または反応液に添加する界面活性剤の種類や添加量の選択によって行うことができる。
【００５７】
（水及び水溶性有機溶剤）
インクとしては、液媒体として少なくとも水を含む水性インクが用いられる。水性インクとしては、色材として少なくとも顔料を含む水性顔料インクを用いることができる。
【００５８】
液媒体は更に、必要に応じて水溶性有機溶剤を含むことができる。水は、イオン交換等により脱イオンした水であることが好ましい。また、インク中の水の含有量は、インク全質量に対して３０質量％以上９７質量％以下であることが好ましく、インク全質量に対して５０質量％以上９５質量％以下であることがより好ましい。
【００５９】
また用いる水溶性有機溶剤の種類は特に限定されず、公知の有機溶剤をいずれも用いることができる。具体的には、グリセリン、ジエチレングリコール、ポリエチレングリコール、ポリプロピレングリコール、エチレングリコール、プロピレングリコール、ブチレングリコール、トリエチレングリコール、チオジグリコール、ヘキシレングリコール、エチレングリコールモノメチルエーテル、ジエチレングリコールモノメチルエーテル、２−ピロリドン、エタノール、メタノール、等が挙げられる。もちろん、これらの中から選択した２種類以上のものを混合して用いることも出来る。
【００６０】
また、インク中の水溶性有機溶剤の含有量は、インク全質量に対して３質量％以上７０質量％以下であることが好ましい。
【００６１】
（その他添加剤）
本発明に用いることのできるインクは上記成分以外にも必要に応じて、ｐＨ調整剤、防錆剤、防腐剤、防黴剤、酸化防止剤、還元防止剤、水溶性樹脂及びその中和剤、粘度調整剤など種々の添加剤を含有してもよい。
【００６２】
＜液吸収部材＞
本発明では、第一の画像から水性液体成分の少なくとも一部を、多孔質体を有する液吸収部材と接触させることで吸収し、第一の画像中の水性液体成分の含有量を減少させる。液吸収部材の第一の画像との接触面を第一の面とし、第一の面に多孔質体が配置される。
【００６３】
（多孔質体）
本発明における多孔質体は、第一の画像に含まれる色材との親和性を低くする（色材の離型性を向上させる）ために、撥水性を有する。撥水性の多孔質体は、水の接触角は９０°以上であることが好ましい。本発明者らの鋭意検討の結果、水の接触角が９０°以上である多孔質体を用いることで、多孔質体へのインクの色材の付着を抑制出来ることが分かった。本明細書における接触角とは、測定液体（水や湿潤液等）を対象物（多孔質体の第一の面）に滴下し、その液滴が対象物に接している部分での対象物表面と液滴の接線とがなす角度のことである。測定の技法にはいくつか種類があるが、本発明者はＪＩＳ  Ｒ３２５７の「６．静滴法」に記載の技法に準拠して、多孔質体の第一の面の接触角の測定を行った。なお、測定液体として用いられる水は純水（蒸留水）である。
【００６４】
また、多孔質体の材質については、水の接触角は９０°以上であれば特に限定されることはないが、撥水性樹脂からなるものが好ましい。更に、撥水性樹脂は、フッ素樹脂であることが好ましい。フッ素樹脂としては、具体的に、ポリテトラフルオロエチレン（以下ＰＴＦＥ）、ポリクロロトリフルオロエチレン（ＰＣＴＦＥ）、ポリフッ化ビニリデン（ＰＶＤＦ）、ポリフッ化ビニル（ＰＶＦ）、パーフルオロアルコキシフッ素樹脂（ＰＦＡ）、四フッ化エチレン・六フッ化プロピレン共重合体（ＦＥＰ）、エチレン・四フッ化エチレン共重合体（ＥＴＦＥ）、エチレン・クロロトリフルオロエチレン共重合体（ＥＣＴＦＥ）が挙げられる。これらの樹脂は、必要に応じて１種又は２種以上を用いることができ、複数の膜が積層された構成でもよい。これらの中では、ポリテトラフルオロエチレンが好ましい。
【００６５】
また、該多孔質体は、インクの色材の付着を抑制するため、孔径は小さいことが好ましく、少なくとも第一の画像と接触する側（第一の面）の多孔質体の孔径は、１０μｍ以下であることが好ましい。また、多孔質体の孔径の下限は特に限定されないが、例えば０．０２μｍ以上とすることができる。なお、本発明において孔径とは平均直径のことを示し、公知の手段、例えば水銀圧入法や、窒素吸着法、ＳＥＭ画像観察等で測定可能である。
【００６６】
また、均一に高い通気性とするために多孔質体の厚みを薄くすることが好ましい。通気性はＪＩＳ  Ｐ８１１７で規定されるガーレ値で示すことができ、ガーレ値は１０秒以下であることが好ましい。また、ガーレ値の下限は特に限定されないが、例えば０．１秒以上とすることができる。多孔質体の形状としては、特に制限されないが、ローラ形状、ベルト形状等が挙げられる。但し、多孔質体を薄くすると、液体成分を吸収するために必要な容量を十分に確保できない場合があるため、多孔質体を多層構成とすることが可能である。また、液吸収部材は、被記録体（転写体等）上の画像と接触する層が多孔質体であればよく、被記録体上の画像と接触しない層は多孔質体でなくてもよい。
【００６７】
また、該多孔質体の製法については特に制限は無く、従来から広く用いられている製法が適用できる。一例として特許第１１１４４８２号明細書に記載のポリテトラフルオロエチレンを含有する樹脂を２軸延伸する事により得られる多孔質体の製法が挙げられる。
【００６８】
＜多層構成＞
次に、多孔質体を多層構成とする場合の実施形態について説明する。ここでは第一の画像に接触する側の第一の層、第一の層の第一の画像との接触面と反対の面に積層される層を第二の層として説明する。さらに多層の構成についても順次第一の層からの積層順で表記する。なお、本明細書において、第一の層を「吸収層」、第二の層以降を「支持層」ということがある。
【００６９】
［第一の層］
色材付着を抑制するため、及び、クリーニング性を高くするために、第一の層に上述した撥水性の多孔質体を用いる。多孔質体形成用の樹脂は、必要に応じて１種又は２種以上を用いることができ、第一の層の中に複数の膜が積層された構成でもよい。
【００７０】
第一の層が撥水性材料で構成されている場合、毛管力により水性液体成分を吸い上げる効果が殆どなく、初めて画像と接触する際に水性液体成分の吸い上げに時間を要することがある。このため、第一の層中に、第一の層の表面に対する接触角が９０°未満である湿潤液をしみ込ませておくことが好ましい。湿潤液は、液吸収部材の第一の面に塗布法等により付与することで第一の層中にしみ込ませておくことができる。
【００７１】
湿潤液は、水を含む液媒体に界面活性剤や第一の層の表面に対する接触角が低い液体を混合して調製することが好ましい。多孔質中に含浸した湿潤液は、第一の画像から吸収された水性液体成分で徐々に置換されるため、徐々に第一の層の吸収効率が低下していく場合がある。このため、所定の回数毎に湿潤液の付与により湿潤液を液吸収部材の有する多孔質体の第一の面に塗布することが好ましい。
【００７２】
また、先に述べた通り、反応液及び／またはインクの組成を調整して、第一の画像に含まれる水性液体成分の第一の層の第一の面に対する接触角を９０°未満としておくことによって、この水性液体成分を湿潤液として利用することができる。この場合には、反応液及び／またはインクに、界面活性剤や、撥水性を有する多孔質体の第一の面に対する接触角の低い液体を含有させることで、これらの水性液体成分の接触角を調整することができる。
【００７３】
本発明において、第一の層の膜厚は、５０μｍ以下であることが好ましく、３０μｍ以下であることがより好ましく、１μｍ以上３０μｍ以下であることが更に好ましい。本発明の実施例において、多孔質体の各層の膜厚は、直進式のマイクロメーターＯＭＶ＿２５（ミツトヨ製）で任意の１０点の膜厚を測定し、その平均値を算出することで得た。
【００７４】
第一の層は、公知の薄膜多孔質膜の製造方法により製造することができる。例えば、樹脂材料を押出成形などの方法でシート状物を得た後、所定の厚みに延伸することで得ることができる。また、押出成形時の材料にパラフィン等の可塑剤を添加し、延伸時に加熱などにより可塑剤を除去することで多孔質膜として得ることができる。孔径は添加する可塑剤の添加量、延伸倍率などを適宜調整することで調節することができる。
【００７５】
［第二の層］
本発明において、第二の層は通気性をもつ層であることが好ましい。このような層は樹脂繊維の不織布でもよいし、織布でも良い。第二の層の材料としては、特に限定されないが、第一の層側へ吸収した液体が逆流しないように、第一の層に対して画像から吸収される水性液体成分との接触角が同等かそれよりも低い材料であることが好ましい。具体的には、ポリオレフィン（ポリエチレン（ＰＥ）、ポリプロピレン（ＰＰ）など）、ポリウレタン、ナイロン、ポリアミド、ポリエステル（ポリエチレンテレフタラート（ＰＥＴ）など）、ポリスルフォン（ＰＳＦ）などの単一素材、またはこれらの複合材料などから好ましく選択される。また、第二の層は第一の層よりも孔径の大きな層であることが好ましい。
【００７６】
［第三の層］
本発明において、多層構造の多孔質体は３層以上の構成であってもよく、限定されない。三層目（第三の層ともいう）以降の層としては剛性の観点から不織布が好ましい。材料としては第二の層と同様なものを用いることができる。
【００７７】
［その他の材料］
液吸収部材には、上記の積層構造の多孔質体以外に、液吸収部材の側面を補強する補強部材を有してもよい。また、長尺のシート形状の多孔質体の長手方向端部を繋いでベルト状の部材とする際の接合部材を有してもよい。このような材料としては非孔質のテープ材などを用いることができ、画像と接触しない位置あるいは周期に配置すればよい。
【００７８】
［多孔質体の製造方法］
第一の層と第二の層を積層して多孔質体を形成する方法は、特には限定されなることはない。重ね合わせるだけでもよいし、接着剤ラミネートまたは熱ラミネートなどの方法を用いて互いに接着してもよい。通気性の観点から、本発明においては熱ラミネートが好ましい。また、例えば、加熱により、第一の層または第二の層の一部を溶融させて接着積層してもよい。また、ホットメルトパウダーのような融着材を第一の層と第二の層の間に介在させて加熱により互いに接着積層してもよい。第三の層以上を積層する場合は、一度に積層させてもよいし、順次積層させてもよく、積層順に関しては適宜選択される。加熱工程では、加熱されたローラで多孔質体を挟み込んで加圧しながら、多孔質体を加熱するラミネート法が好ましい。
【００７９】
次に本発明のインクジェット記録装置の具体的な実施形態例について説明する。
本発明のインクジェット記録装置としては、被記録体としての転写体上に第一の画像を形成し、液吸収部材によって水性液体成分が吸収された後の画像である第二の画像を記録媒体へ転写するインクジェット記録装置と、被記録体としての記録媒体上に第一の画像を形成するインクジェット記録装置とが挙げられる。
【００８０】
なお、本発明において、前者のインクジェット記録装置を、以下便宜的に転写型インクジェット記録装置と称し、後者のインクジェット記録装置を、以下便宜的に直接描画型インクジェット記録装置と称する。
【００８１】
以下にそれぞれのインクジェット記録装置について説明する。
（転写型インクジェット記録装置）
図３は、本実施形態の転写型インクジェット記録装置の概略構成の一例を示す模式図である。転写型インクジェット記録装置１００は、第一の画像と、第一の画像から水性液体成分の少なくとも一部を除去した第二の画像とを一時的に保持する転写体１０１を備えている。また、転写型インクジェット記録装置１００は、第二の画像を、画像を形成すべき記録媒体１０８、すなわち目的とする用途に応じた最終画像を形成するための記録媒体上に転写する転写用の押圧部材１０６を備えた転写ユニットを含む。
【００８２】
本発明の転写型インクジェット記録装置１００は、支持部材１０２によって支持された転写体１０１と、転写体１０１上に反応液を付与する反応液付与装置１０３と、反応液が付与された転写体１０１上にインクを付与し転写体上にインク像（第一の画像）を形成するインク付与装置１０４と、転写体上第一の画像から液体成分を吸収する液吸収装置１０５と、記録媒体を押圧することによって液体成分が除去された転写体上の第二の画像を紙などの記録媒体１０８上に転写する押圧部材１０６と、を有する。また、転写型インクジェット記録装置１００は、第二の画像を記録媒体１０８に転写した後の転写体１０１の表面をクリーニングする転写体クリーニング部材１０９を有していてもよい。
【００８３】
支持部材１０２は、回転軸１０２ａを中心として図３の矢印の方向に回転する。この支持部材１０２の回転により、転写体１０１が移動される。移動される転写体１０１上には、反応液付与装置１０３による反応液、および、インク付与装置１０４によるインクが順次付与され、転写体１０１上に第一の画像が形成される。転写体１０１上に形成された第一の画像は、転写体１０１の移動により、液吸収装置１０５が有する液吸収部材１０５ａと接触する位置まで移動される。液吸収装置１０５の液吸収部材１０５ａは、転写体１０１の回転に同期して移動する。転写体１０１上に形成された第一の画像はこの移動する液吸収部材１０５ａと接触した状態を経る。この間に液吸収部材１０５ａは、第一の画像から液体成分を除去する。
【００８４】
なお、この液吸収部材１０５ａと接触した状態を経ることで、第一の画像に含まれる液体成分が除かれる。この接触した状態において、液吸収部材１０５ａは、所定の押圧力をもって第一の画像に押圧されることが、液吸収部材１０５ａを効果的に機能させる点で好ましい。
【００８５】
液体成分の除去を異なる視点で説明すれば、転写体上に形成された画像（第一の画像）を構成するインクを濃縮するとも表現することができる。インクを濃縮するとは、インクに含まれる液体成分が減少することによって、インクに含まれる色材や樹脂といった固形分の液体成分に対する含有割合が増加することを意味する。そして、液体成分が除去された画像（第二の画像）は、転写体１０１の移動により、記録媒体搬送装置１０７によって搬送される記録媒体１０８と接触する転写部に移動される。液体成分が除去された後の第二の画像が記録媒体１０８と接触している間に、押圧部材１０６が記録媒体１０８を押圧することによって、記録媒体１０８上にインク像が転写される。
【００８６】
記録媒体１０８上に転写された転写後インク像は第二の画像の反転画像である。以降の説明では、上述した第一の画像（液除去前インク像）、第二の画像（液除去後インク像）とは別に、この転写後インク像を第三の画像ということがある。
【００８７】
なお、転写体上には反応液が付与されてからインクが付与されて第一の画像が形成されるため、非画像領域（非インク像形成領域）には反応液がインクと反応することなく残っている。本装置では液吸収部材１０５ａは第一の画像からのみならず、未反応の反応液とも接触（圧接）し、反応液の液体成分も併せて転写体１０１の表面上から除去している。
【００８８】
したがって、以上では、第一の画像から液体成分を除去すると表現し説明しているが、第一の画像のみから液体成分を除去するという限定的な意味合いではなく、少なくとも転写体上の第一の画像から液体成分を除去していればよいという意味合いで用いている。例えば、第一の画像とともに第一の画像の外側領域に付与された反応液中の液体成分を除去することも可能である。なお、液体成分は、一定の形を持たず、流動性を有し、ほぼ一定の体積を有するものであれば、特に限定されるものではない。例えば、インクや反応液に含まれる水や有機溶媒等が液体成分として挙げられる。
【００８９】
また、上述したクリアインクが第一の画像に含まれている場合においても、液吸収処理によるインクの濃縮を行うことができる。例えば、転写体１０１上に付与された色材を含有するカラーインクの上にクリアインクが付与された場合、第一の画像の表面には全面的にクリアインクが存在する、若しくは、第一の画像の表面の一箇所または複数箇所にクリアインクが部分的に存在し、他の箇所にはカラーインクが存在する。第一の画像において、カラーインク上にクリアインクが存在している箇所では、多孔質体が第一の画像の表面のクリアインクの液体成分を吸収し、クリアインクの液体成分が移動する。それに伴ってカラーインク中の液体成分が多孔質体側へ移動することで、カラーインク中の水性液体成分が吸収される。
【００９０】
一方、第一の画像の表面にクリアインクの領域とカラーインクの領域が存在している箇所では、カラーインク及びクリアインクのそれぞれの液体成分が多孔質体側へ移動することで水性液体成分が吸収される。なお、このクリアインクには、転写体１０１から記録媒体への画像の転写性を向上させるための成分を多く含ませておいてもよい。例えばカラーインクよりも加熱により記録媒体への粘着性が高くなる成分の含有率を高くしておくことが挙げられる。
【００９１】
本実施形態の転写型インクジェット記録装置の各構成について以下に説明する。
【００９２】
＜転写体＞
転写体１０１は、画像形成面を含む表面層を有する。表面層の部材としては、樹脂、セラミック等各種材料を適宜用いることができるが、耐久性等の点で圧縮弾性率の高い材料が好ましい。具体的には、アクリル樹脂、アクリルシリコーン樹脂、フッ素含有樹脂、加水分解性有機ケイ素化合物を縮合して得られる縮合物等が挙げられる。
【００９３】
反応液の濡れ性、転写性等を向上させるために、表面処理を施して用いてもよい。表面処理としては、フレーム処理、コロナ処理、プラズマ処理、研磨処理、粗化処理、活性エネルギー線照射処理、オゾン処理、界面活性剤処理、シランカップリング処理などが挙げられる。これらを複数組み合わせてもよい。また、表面層に任意の表面形状を設けることもできる。
【００９４】
また、転写体は、圧力変動を吸収する機能を有する圧縮層を有することが好ましい。圧縮層を設けることで、圧縮層が変形を吸収し、局所的な圧力変動に対してその変動を分散し、高速印刷時においても良好な転写性を維持することができる。圧縮層の部材としては、例えばアクリロニトリル−ブタジエンゴム、アクリルゴム、クロロプレンゴム、ウレタンゴム、シリコーンゴム等が挙げられる。
【００９５】
上記ゴム材料の成形時に、所定量の加硫剤、加硫促進剤等を配合し、さらに発泡剤、中空微粒子或いは食塩等の充填剤を必要に応じて配合し多孔質としたものが好ましい。これにより、様々な圧力変動に対して気泡部分が体積変化を伴って圧縮されるため、圧縮方向以外への変形が小さく、より安定した転写性、転写体の耐久性を得ることができる。多孔質のゴム材料としては、各気孔が互いに連続した連続気孔構造のものと、各気孔がそれぞれ独立した独立気孔構造のものがある。本発明ではいずれの構造であってもよく、これらの構造を併用してもよい。
【００９６】
さらに転写体は、表面層と圧縮層との間に弾性層を有することが好ましい。弾性層の部材としては、樹脂、セラミック等、各種材料を適宜用いることができる。加工特性等の点で、各種エラストマー材料、ゴム材料が好ましく用いられる。具体的には、例えばフルオロシリコーンゴム、フェニルシリコーンゴム、フッ素ゴム、クロロプレンゴム、ウレタンゴム、ニトリルゴム、エチレンプロピレンゴム、天然ゴム、スチレンゴム、イソプレンゴム、ブタジエンゴム、エチレン／プロピレン／ブタジエンのコポリマー、ニトリルブタジエンゴム等が挙げられる。特に、シリコーンゴム、フルオロシリコーンゴム、フェニルシリコーンゴムは、圧縮永久ひずみが小さいため、寸法安定性、耐久性の面で好ましい。また、温度による弾性率の変化が小さく、転写性の点でも好ましい。
【００９７】
転写体を構成する各層（表面層、弾性層、圧縮層）の間に、これらを固定・保持するために各種接着剤や両面テープを用いてもよい。また、装置に装着する際の横伸びの抑制や、コシを保つために圧縮弾性率が高い補強層を設けてもよい。また、織布を補強層としてもよい。転写体は前記材質による各層を任意に組み合わせて作製することができる。
【００９８】
転写体の大きさは、目的の印刷画像サイズに合わせて自由に選択することができる。転写体の形状としては、特に制限されず、具体的にはシート形状、ローラ形状、ベルト形状、無端ウェブ形状等が挙げられる。
【００９９】
＜支持部材＞
転写体１０１は、支持部材１０２上に支持されている。転写体の支持方法として、各種接着剤や両面テープを用いてもよい。または、転写体に金属、セラミック、樹脂等を材質とした設置用部材を取り付けることで、設置用部材を用いて転写体を支持部材１０２上に支持してもよい。
【０１００】
支持部材１０２は、その搬送精度や耐久性の観点からある程度の構造強度が求められる。支持部材の材質には金属、セラミック、樹脂等が好ましく用いられる。中でも特に、転写時の加圧に耐え得る剛性や寸法精度のほか、動作時のイナーシャを軽減して制御の応答性を向上するために、アルミニウム、鉄、ステンレス、アセタール樹脂、エポキシ樹脂、ポリイミド、ポリエチレン、ポリエチレンテレフタレート、ナイロン、ポリウレタン、シリカセラミクス、アルミナセラミクスが好ましく用いられる。またこれらを組み合わせて用いるのも好ましい。
【０１０１】
＜反応液付与装置＞
本実施形態の転写型インクジェット記録装置は、転写体１０１に反応液を付与する反応液付与装置１０３を有する。図３の反応液付与装置１０３は、反応液を収容する反応液収容部１０３ａと、反応液収容部１０３ａにある反応液を転写体１０１上に付与する反応液付与部材１０３ｂ、１０３ｃを有するグラビアオフセットローラの場合を示している。
【０１０２】
＜インク付与装置＞
本実施形態のインクジェット記録装置は、反応液を付与された転写体１０１にインクを付与するインク付与装置１０４を有する。反応液とインクとが混合されることで第一の画像が形成され、次の液吸収装置１０５にて第一の画像から液体成分が吸収される。
【０１０３】
＜液吸収装置＞
本実施形態において、液吸収装置１０５は、液吸収部材１０５ａ、および、液吸収部材１０５ａを転写体１０１上の第一の画像に押し当てる液吸収用の押圧部材１０５ｂを有する。なお、液吸収部材１０５ａおよび押圧部材１０５ｂの形状については特に制限がない。例えば、図３に示すように、押圧部材１０５ｂが円柱形状であり、液吸収部材１０５ａがベルト形状であって、円柱形状の押圧部材１０５ｂでベルト形状の液吸収部材１０５ａを転写体１０１に押し当てる構成であってもよい。また、押圧部材１０５ｂが円柱形状であり、液吸収部材１０５ａが円柱形状の押圧部材１０５ｂの周面上に形成された円筒形状であって、円柱形状の押圧部材１０５ｂで円筒形状の液吸収部材１０５ａを転写体に押し当てる構成であってもよい。
【０１０４】
本発明において、転写型インクジェット記録装置内でのスペース等を考慮すると、液吸収部材１０５ａはベルト形状であることが好ましい。また、このようなベルト形状の液吸収部材１０５ａを有する液吸収装置１０５は、液吸収部材１０５ａを張架する張架部材を有していてもよい。図３において、１０５ｃ、１０５ｄ、１０５ｅは張架部材としての張架ローラである。図３において、押圧部材１０５ｂも張架ローラと同様に回転するローラ部材としているが、これに限定されるものではない。
【０１０５】
液吸収装置１０５では、多孔質体を有する液吸収部材１０５ａを押圧部材１０５ｂによって第一の画像に押圧させることで、第一の画像に含まれる液体成分を液吸収部材１０５ａに吸収させ、第一の画像から液体成分を除去する。第一の画像中の液体成分を除去する方法として、液吸収部材を押圧する本方式に加え、その他従来用いられている各種手法、例えば、加熱による方法、低湿空気を送風する方法、減圧する方法等を組み合わせても良い。
【０１０６】
液吸収装置による第一の画像への液吸収部材の有する多孔質体による処理における温度は、目的とする液体吸収効果を得ることができる範囲に設定することができる。湿潤液が接触角調整用としての界面活性剤を含む場合には、多孔質体の第一の面と、第一の画像の接触時の温度を、湿潤液に含まれる界面活性剤の曇点未満の温度に制御することが好ましい。多孔質体の温度を湿潤液中の界面活性剤の曇点未満とすることにより、目的とする界面活性剤の接触角調整機能をより効果的に利用することができる。
【０１０７】
上述のように湿潤液中の界面活性剤の曇点未満とする場合における多孔質体の第一の面と第一の画像の接触時における温度としては、５℃〜６０℃の範囲から選択することが好ましい。多孔質体の第一の面と、第一の画像の接触時の温度制御は、加熱手段、及び必要に応じて設置する冷却手段からなる温度制御手段を有する温度制御部を、本発明にかかる転写型インクジェット記録装置の構成に応じて配置することによって行うことができる。例えば、図３に示す押圧部材１０５ｂの内部、あるいはその外部の近傍に温度制御部を配置して、これらの接触時の温度制御を行うことができる。なお、温度制御部に組み込む加熱手段及び冷却手段は、特に限定されず、公知の加熱装置や冷却装置を用いることができる。
【０１０８】
以下、液吸収装置１０５における、各種条件と構成について詳細に述べる。
【０１０９】
（前処理）
撥水性を有する多孔質体が第一の画像に接触する前に、多孔質体の第一の面に対する接触角が９０°未満である湿潤液を付与する前処理手段としての湿潤処理部によって前処理としての湿潤処理を施すこと好ましい。湿潤液は、多孔質体の第一の面との接触角が９０°未満であり、多孔質体に目的とする液体吸収性を得ることができるものであれば特に限定されることはない。具体的には、湿潤液は、少なくとも水を含む水性液媒体と、湿潤液の表面張力を調整する成分とを含有することが好ましい。この湿潤液の表面張力を調整する成分としては特に制限は無いが、界面活性剤を用いることが好ましい。界面活性剤としては、シリコーン系界面活性剤及びフッ素系界面活性剤の少なくとも１種を用いることが好ましく、フッ素系界面活性剤を用いることがより好ましい。
【０１１０】
具体的に用いられる界面活性剤としては、フッ素系界面活性剤のＦ−４４４（商品名、ＤＩＣ社製）、ＺｏｎｙｌＦＳ３１００（商品名、デュポン社製）、ＣａｐｓｔｏｎｅＦＳ−３１００（商品名、Ｔｈｅ  Ｃｈｅｍｏｕｒｓ  ＣｏｍｐａｎｙＬＬＣ）やシリコーン系界面活性剤のＢＹＫ３４９（商品名、ＢＹＫ社製）等が挙げられる。水は、イオン交換等により脱イオンした水であることが好ましい。また、水溶性有機溶剤の種類は特に限定されず、エタノールやイソプロピルアルコール等の公知の有機溶剤をいずれも用いる事ができる。また、湿潤液中の界面活性剤の含有量は、湿潤液全質量に対して０．２質量％以上であることが好ましく、０．４質量％以上がより好ましく、０．５質量％以上が特に好ましい。また、湿潤液中の界面活性剤の含有量の上限は特に限定されないが、界面活性剤の湿潤液中における溶解性の観点から、湿潤液全質量に対して１０質量％であることが好ましい。
【０１１１】
図３では湿潤処理部の一実施形態として、湿潤液を収容する湿潤液収容部１１０ａと、湿潤液収容部１１０ａにある湿潤液を液吸収部材１０５ａに付与する湿潤液付与部材１１０ｂを有するグラビアオフセットローラからなる湿潤液付与装置１１０を示している。
本発明に用いる多孔質体への湿潤液の付与方法や湿潤処理装置の構成としては、図３に示す形態に限定されない。多孔質体への湿潤液の付与方法としては浸漬、塗布、液滴下などを挙げることができる。湿潤液の付与方法は、湿潤液の安定的な付与や装置内での高速付与等のため、ローラ加圧方式の塗布法であることが好ましい。図５にローラ加圧方式の湿潤液付与部材で、液吸収部材１０５ａに湿潤液を付与する湿潤液付与部の拡大図を示す。湿潤液収容部１１０ａに収容された湿潤液１１０ｃを湿潤液付与部材１１０ｂで汲み上げて、液吸収部材１０５ａに湿潤液１１０ｃを加圧付与する構成である。
【０１１２】
また、本発明において、湿潤液の付与のタイミングは特に限定されることはない。ドラム状や無端ウェブ状の液吸収部材を順次周回搬送して前処理を行う場合には、１周毎に湿潤液を付与しても良いし、数周に一度湿潤液を付与する等、適宜湿潤液の付与タイミングを制御するようにしても良い。湿潤液付与装置はモータやカム機構、エアーシリンダを用いて昇降する構成とし液吸収部材に対して接離出来るようにしても良い。
【０１１３】
図３及び図４に示す実施形態においては、液吸収部材１０５ａを第一の画像に接触させる前に、液吸収部材の多孔質体に湿潤液を付与する前処理手段としての湿潤処理部によって前処理として湿潤液を施すことが好ましい。また、先に述べたように、反応液を前湿潤液の代わりに用いても良い。すなわち、液吸収部材１０５ａを第一の画像に接触させる前に、液吸収部材１０５ａの表面に対する接触角が９０°未満である反応液を転写体１０１に付与し、転写体１０１上の反応液を液吸収部材１０５ａに転移させるようにして、多孔質体の前処理として用いるようにしても良い。湿潤液の付与圧力は、特に限定されることはないが、０．９８Ｎ／ｃｍ２（０．１ｋｇｆ／ｃｍ２）以上であれば湿潤液の安定的な付与や装置内で高速に付与することができるため好ましい。また、湿潤液の付与圧力は９８Ｎ／ｃｍ２（１０ｋｇｆ／ｃｍ２）以下であれば、装置への構造上の負荷が抑制できるため好ましい。
【０１１４】
（加圧条件）
転写体上の第一の画像に対して押圧する多孔質体の圧力が２．９４Ｎ／ｃｍ２（０．３ｋｇｆ／ｃｍ２）以上９８Ｎ／ｃｍ２（１０ｋｇｆ／ｃｍ２）以下であれば、第一の画像中の液体成分をより短時間に固液分離でき、第一の画像中から液体成分を除去できるため好ましい。また、圧力は９８Ｎ／ｃｍ２（１０ｋｇｆ／ｃｍ２）以下であれば、装置への構造上の負荷が抑制できるため好ましい。尚、本発明における多孔質体の第一の画像に対する接触圧力とは、転写体１０１と液吸収部材１０５ａとの間のニップ圧を示しており、面圧分布測定器（新田株式会社製  Ｉ−ＳＣＡＮ）にて面圧測定を行い、加圧領域における加重を面積で割り、値を算出した。
【０１１５】
（作用時間）
第一の画像に液吸収部材１０５ａを接触させる作用時間は、第一の画像中の色材が液吸収部材へ付着することをより抑制するために、５０ｍｓ（ミリ秒）以内であることが好ましい。尚、本明細書における作用時間とは、上述した面圧測定における、被記録体の移動方向における圧力感知幅を、被記録体の移動速度で割って算出される。以降、この作用時間を液吸収ニップ時間と称す。
【０１１６】
このようにして、転写体１０１上には、第一の画像から液体成分が吸収され、液体分の減少した第二の画像が形成される。第二の画像は次に転写部において記録媒体１０８上にインク像として転写される。転写時の装置構成及び条件について説明する。
【０１１７】
＜転写用の押圧部材＞
本実施形態では、第二の画像と記録媒体搬送装置１０７によって搬送される記録媒体１０８とが接触している間に、転写用の押圧部材１０６が記録媒体１０８を押圧することによって、記録媒体１０８上にインク像が転写される。転写体１０１上の第一の画像に含まれる液体成分を除去した後に、記録媒体１０８へ転写することにより、カールや、コックリング等を抑制した記録画像を得ることが可能となる。
【０１１８】
押圧部材１０６は記録媒体１０８の搬送精度や耐久性の観点からある程度の構造強度が求められる。押圧部材１０６の材質には金属、セラミック、樹脂等が好ましく用いられる。中でも特に、転写時の加圧に耐え得る剛性や寸法精度のほか、動作時のイナーシャを軽減して制御の応答性を向上するために、アルミニウム、鉄、ステンレス、アセタール樹脂、エポキシ樹脂、ポリイミド、ポリエチレン、ポリエチレンテレフタレート、ナイロン、ポリウレタン、シリカセラミクス、アルミナセラミクスが好ましく用いられる。またこれらを組み合わせて用いてもよい。
【０１１９】
転写体１０１上の第二の画像を記録媒体１０８に転写するために押圧部材１０６が押圧する時間については特に制限はないが、転写が良好に行われ、かつ転写体の耐久性を損なわないようにするために、５ｍｓ以上１００ｍｓ以下であることが好ましい。尚、本実施形態における押圧する時間とは、記録媒体１０８と転写体１０１が接触している時間を示しており、面圧分布測定器（新田株式会社製  Ｉ−ＳＣＡＮ）にて面圧測定を行い、加圧領域の搬送方向長さを搬送速度で割り、値を算出したものである。
【０１２０】
また、転写体１０１上の第二の画像を記録媒体１０８に転写するために押圧部材１０６が押圧する圧力についても特に制限はないが、転写が良好に行われ、かつ転写体の耐久性を損なわないようにする。このために、圧力が９．８Ｎ／ｃｍ２（１ｋｇ／ｃｍ２）以上２９４．２Ｎ／ｃｍ２（３０ｋｇ／ｃｍ２）以下であることが好ましい。尚、本実施形態における圧力とは、記録媒体１０８と転写体１０１間のニップ圧を示しており、面圧分布測定器により面圧測定を行い、加圧領域における加重を面積で割って、値を算出したものである。
【０１２１】
転写体１０１上の第二の画像を記録媒体１０８に転写するために押圧部材１０６が押圧しているときの温度についても特に制限はないが、インクが樹脂成分を含む場合には、この樹脂成分のガラス転移点以上又は軟化点以上であることが好ましい。また、加熱には転写体１０１上の第二の画像、転写体１０１及び記録媒体１０８を加熱する加熱手段を備える態様が好ましい。
転写手段１０６の形状については特に制限されないが、例えばローラ形状のものが挙げられる。
【０１２２】
＜記録媒体および記録媒体搬送装置＞
本実施形態において、記録媒体１０８は特に限定されず、公知の記録媒体をいずれも用いることができる。記録媒体としては、ロール状に巻回された長尺物、あるいは所定の寸法に裁断された枚葉のものが挙げられる。材質としては、紙、プラスチックフィルム、木板、段ボール、金属フィルムなどが挙げられる。
【０１２３】
また、図３において、記録媒体１０８を搬送するための記録媒体搬送装置１０７は、記録媒体繰り出しローラ１０７ａおよび記録媒体巻き取りローラ１０７ｂによって構成されているが、記録媒体を搬送できればよく、特にこの構成に限定されるものではない。
【０１２４】
＜制御システム＞
本実施形態における転写型インクジェット記録装置は、各装置を制御する制御システムを有する。図６は図３に示す転写型インクジェット記録装置における、装置全体の制御システムを示すブロック図である。図６において、３０１は外部プリントサーバー等の記録データ生成部、３０２は操作パネル等の操作制御部、３０３は記録プロセスを実施するためのプリンタ制御部、３０４は記録媒体を搬送するための記録媒体搬送制御部、３０５は印刷するためのインクジェットデバイスである。
【０１２５】
図７は、図３の転写型インクジェット記録装置におけるプリンタ制御部のブロック図である。４０１はプリンタ全体を制御するＣＰＵ、４０２は前記ＣＰＵの制御プログラムを格納するためのＲＯＭ、４０３はプログラムを実行するためのＲＡＭである。４０４はネットワークコントローラ、シリアルＩＦコントローラ、ヘッドデータ生成用コントローラ、モーターコントローラ等を内蔵した特定用途向けの集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）である。４０５は液吸収部材搬送モータ４０６を駆動するための液吸収部材搬送制御部であり、ＡＳＩＣ４０４からシリアルＩＦを介して、コマンド制御される。４０７は転写体駆動モータ４０８を駆動するための転写体駆動制御部であり、同様にＡＳＩＣ４０４からシリアルＩＦを介してコマンド制御される。４０９はヘッド制御部であり、インクジェットデバイス３０５の最終吐出データ生成、駆動電圧生成等を行う。４１０は湿潤液付与装置の昇降用エアーシリンダ４１１を駆動するための湿潤液付与装置の昇降制御部であり、ＡＳＩＣ４０４からシリアルＩＦを介して、コマンド制御される。
【０１２６】
（直接描画型のインクジェット記録装置）
本発明における別の実施形態として、直接描画型インクジェット記録装置が挙げられる。
直接描画型インクジェット記録装置において、被記録体は画像を形成すべき記録媒体である。
【０１２７】
図４は、本実施形態における直接描画型インクジェット記録装置２００の概略構成の一例を示す模式図である。直接描画型インクジェット記録装置は、前述した転写型インクジェット記録装置と比較し、転写体１０１、支持部材１０２、転写体クリーニング部材１０９を有さず、記録媒体２０８上で画像を形成する点以外は、転写型インクジェット記録装置と同様の手段及び動作を有する。
【０１２８】
したがって、記録媒体２０８に反応液を付与する反応液付与装置２０３、記録媒体２０８にインクを付与するインク付与装置２０４、および、記録媒体２０８上の第一の画像に接触する液吸収部材２０５ａにより、第一の画像に含まれる液体成分を吸収する液吸収装置２０５は、転写型インクジェット記録装置と同様の構成を有しており、説明を省略する。
【０１２９】
なお、本実施形態の直接描画型インクジェット記録装置において、液吸収装置２０５は液吸収部材２０５ａ、および、液吸収部材２０５ａを記録媒体２０８上の第一の画像に押し当てる液吸収用の押圧部材２０５ｂを有する。また、液吸収部材２０５ａおよび押圧部材２０５ｂの形状については特に制限がなく、転写型インクジェット記録装置で使用可能な液吸収部材および押圧部材と同様の形状のものを用いることができる。また、液吸収装置２０５は、液吸収部材を張架する張架部材を有していてもよい。図４において、２０５ｃ、２０５ｄ、２０５ｅ、２０５ｆ、２０５ｇは張架部材としての張架ローラである。張架ローラの数は図７の５個に限定されるものではなく、装置設計に応じて必要数を配置すれば良い。また、インク付与装置２０４によって記録媒体２０８にインクを付与するインク付与部、および、液吸収部材２０５ａを記録媒体上の第一の画像に圧接し液体成分を除去する液体成分除去部と対向する位置に、記録媒体を下方から支持する不図示の記録媒体支持部材が設けられていてもよい。
【０１３０】
＜記録媒体搬送装置＞
本実施形態の直接描画型インクジェット記録装置において、記録媒体搬送装置２０７は特に限定されず、公知の直接描画型インクジェット記録装置における搬送装置を用いることができる。例として、図４に示すように、記録媒体繰り出しローラ２０７ａ、記録媒体巻き取りローラ２０７ｂ、記録媒体搬送ローラ２０７ｃ、２０７ｄ、２０７ｅ、２０７ｆを有する記録媒体搬送装置が挙げられる。
＜湿潤処理装置＞
湿潤処理装置２１０は、湿潤液を収容する湿潤液収容部２１０ａと、湿潤液収容部２１０ａにある湿潤液を液吸収部材２０５ａに付与する湿潤液付与部材２１０ｂを有するグラビアオフセットローラから構成されている。
【０１３１】
＜制御システム＞
本実施形態における直接描画型インクジェット記録装置は、各装置を制御する制御システムを有する。図４に示す直接描画型インクジェット記録装置における、装置全体の制御システムを示すブロック図は、図３に示す転写型インクジェット記録装置と同様に、図６に示す通りである。
【０１３２】
図８は、図４の直接描画型インクジェット記録装置におけるプリンタ制御部のブロック図である。転写体駆動制御部４０７及び転写体駆動モータ４０８を有さない以外は図７における転写型インクジェット記録装置におけるプリンタ制御部のブロック図と同等である。すなわち、５０１はプリンタ全体を制御するＣＰＵ、５０２は前記ＣＰＵの制御プログラムを格納するためのＲＯＭ、５０３はプログラムを実行するためのＲＡＭである。５０４はネットワークコントローラ、シリアルＩＦコントローラ、ヘッドデータ生成用コントローラ、モーターコントローラ等を内蔵したＡＳＩＣである。５０５は液吸収部材搬送モータ５０６を駆動するための液吸収部材搬送制御部であり、ＡＳＩＣ５０４からシリアルＩＦを介して、コマンド制御される。５０９はヘッド制御部であり、インクジェットデバイス３０５の最終吐出データ生成、駆動電圧生成等を行う。５１０は湿潤液付与装置の昇降用エアーシリンダ５１１を駆動するための湿潤液付与装置の昇降制御部であり、ＡＳＩＣ５０４からシリアルＩＦを介して、コマンド制御される。
【実施例】
【０１３３】
以下、実施例及び比較例を用いて本発明を更に詳細に説明する。本発明は、その要旨を超えない限り、下記の実施例によって何ら限定されるものではない。尚、以下の実施例の記載において、「部」とあるのは特に断りのない限り質量基準である。
【０１３４】
（実施例１）
本実施例では図３に示す転写型インクジェット記録装置を用いた。
本実施例における転写体１０１は接着剤により支持部材１０２の表面に固定されている。
本実施例では、厚さ０．５ｍｍのＰＥＴシートにシリコーンゴム（信越化学工業株式会社製ＫＥ１２）を０．３ｍｍの厚さにコーティングしたシートを転写体Ｊの弾性層として用いた。さらにグリシドキシプロピルトリエトキシシランとメチルトリエトキシシランとをモル比１：１で混合し、加熱還流により得られる縮合物と光カチオン重合開始剤（ＡＤＥＫＡ製ＳＰ１５０）の混合物を作製した。弾性層表面の水の接触角を１０°以下となるように大気圧プラズマ処理を行い、前記混合物を弾性層上に付与し、ＵＶ照射（高圧水銀ランプ、積算露光量５０００ｍＪ／ｃｍ２）、熱硬化（１５０℃２時間）により成膜し、弾性層上に厚さ０．５μｍの表面層を形成した転写体１０１を作製した。
【０１３５】
本構成においては、なお説明の簡略のため図示を省略しているが、転写体１０１と支持部材１０２の間に転写体１０１を保持するために両面テープを用いた。また、本構成においては、転写体１０１の表面は図示しない加熱手段により６０℃とした。
インク付与装置１０４は電気−熱変換素子を用いオンデマンド方式にてインク吐出を行うタイプのインクジェットヘッドを使用し、転写体上にベタ画像を形成した。このベタ画像の形成時のインク付与量は２０ｇ／ｍ２とした。液吸収部材１０５ａは液吸収部材搬送ローラ１０５ｃ、１０５ｄ、１０５ｅによって、転写体１０１の移動速度と同等の速度になるよう調節されている。また、転写体１０１の移動速度と同等の速度となるように、記録媒体１０８は記録媒体繰り出しローラ１０７ａおよび記録媒体巻き取りローラ１０７ｂによって搬送される。本実施例において、搬送速度は０．２ｍ／ｓとし、記録媒体１０８としてオーロラコート紙（日本製紙株式会社製・坪量１０４ｇ／ｍ２）を用いた。
【０１３６】
［反応液の調製］
反応液付与装置１０３により付与される反応液は、以下の組成のものを用いた。反応液付与装置１０３による反応液の付与量は１ｇ／ｍ２とした。
・グルタル酸                                            ２１．０質量％
・グリセリン                                              ５．０質量％
・界面活性剤Ｆ−４４４（商品名、ＤＩＣ社製）              ５．０質量％
・イオン交換水                                                残質量％
【０１３７】
［インクの調製］
インクは以下のように調製した。
【０１３８】
＜顔料分散体の調製＞
カーボンブラック（製品名：モナク１１００、キャボット製）１０部、樹脂水溶液（スチレン−アクリル酸エチル−アクリル酸共重合体、酸価１５０、重量平均分子量（Ｍｗ）８，０００、樹脂の含有量が２０．０質量％の水溶液を水酸化カリウム水溶液で中和したもの）１５部、純水７５部を混合し、バッチ式縦型サンドミル（アイメックス製）に仕込み、０．３ｍｍ径のジルコニアビーズを２００部充填し、水冷しつつ、５時間分散処理を行った。この分散液を遠心分離して、粗大粒子を除去した後、顔料の含有量が１０．０質量％のブラック顔料分散体を得た。
【０１３９】
＜樹脂粒子分散体の調製＞
【０１４０】
エチルメタクリレート２０部、２，２’−アゾビス−（２−メチルブチロニトリル）３部、ｎ−ヘキサデカン２部を混合し、０．５時間攪拌した。この混合物を、スチレン−アクリル酸ブチル−アクリル酸共重合体（酸価：１３０ｍｇＫＯＨ／ｇ、重量平均分子量（Ｍｗ）：７，０００）の８％水溶液７５部に滴下して、０．５時間攪拌した。次に超音波照射機で超音波を３時間照射した。続いて、窒素雰囲気下で８０℃、４時間重合反応を行い、室温冷却後にろ過して、樹脂の含有量が２５．０質量％である樹脂粒子分散体を調製した。
【０１４１】
＜インクの調製＞
上記で得られた樹脂粒子分散体、及び、顔料分散体を下記各成分と混合した。尚、イオン交換水の残部は、インクを構成する全成分の合計が１００．０質量％となる量のことである。
・顔料分散体（色材の含有量は１０．０質量％）                    ４０．０質量％
・樹脂粒子分散体                                                ２０．０質量％
・グリセリン                                                      ７．０質量％
・ポリエチレングリコール（数平均分子量（Ｍｎ）：１，０００）        ３．０質量％
・界面活性剤：アセチレノールＥ１００（川研ファインケミカル株式会社製）０．５質量％
・イオン交換水                                                            残部
【０１４２】
これを十分撹拌して分散した後、ポアサイズ３．０μｍのミクロフィルター（富士フイルム株式会社製）にて加圧ろ過を行い、ブラックインクを調製した。
【０１４３】
以上の構成の転写型インクジェット記録装置を用いて画像を形成し、形成された画像を後述する方法により評価した。
【０１４４】
［液吸収部材］
本実施例では、液吸収部材１０５ａに、平均孔径０．２μｍのＰＴＦＥ（ポリテトラフルオロエチレン）の多孔質体を用いた。このＰＴＦＥの多孔質体の表面（第一の面）の水の接触角は１１８°であった。この液吸収部材１０５ａのガーレは５秒であり、多孔質体の厚みは１５μｍであった。また、第一の画像と接触することによって多孔質体が吸収した水性液体成分は再度第一の画像に接触する前に、その吸収した水性液体成分の少なくとも一部を多孔質体から除去するようにした。
第一の画像に接触させる前に、液吸収部材１０５ａに湿潤液を付与する。この湿潤液としては、以下組成のものを用い、付与量は１０ｇ／ｍ２とした。
・グリセリン                                                    １０．０質量％
・界面活性剤（製品名：メガファックＦ−４４４、ＤＩＣ株式会社製）  ５．０質量％
・イオン交換水                                                    残質量％
【０１４５】
なお、本実施例において、湿潤液中における界面活性剤の曇点は、以下のように測定した。
湿潤液を５０ｍｌ準備する。そして、その湿潤液を室温の状態から加熱し、目視で透明である湿潤液が白濁へ変化したところでの加熱温度を湿潤液中における界面活性剤の曇点とした。また、転写体１０１と液吸収部材１０５ａとの間のニップ圧は、平均圧力が３９．２Ｎ／ｃｍ２（４ｋｇｆ／ｃｍ２）となるよう押圧部材１０５ｂに圧力が印加されている。また、押圧部材１０５ｂはローラ直径φ２００ｍｍのものを用いた。
【０１４６】
（実施例２）
湿潤液に含まれる界面活性剤をフッ素系の活性剤であるメガファックＦ−４４４（商品名、ＤＩＣ社製）の代わりに、ＣａｐｓｔｏｎｅＦＳ−３１００（商品名、Ｔｈｅ  ＣｈｅｍｏｕｒｓＣｏｍｐａｎｙＬＬＣ）を用い、それ以外は実施例１と同様に画像形成と形成された画像の評価を行った。
【０１４７】
（実施例３）
湿潤液に含まれる界面活性剤をフッ素系の活性剤であるメガファックＦ−４４４（商品名、ＤＩＣ社製）の代わりに、シリコーン系の界面活性剤であるＢＹＫ３４９（商品名、ＢＹＫ社製）を用い、それ以外は実施例１と同様に画像形成と形成された画像の評価を行った。
【０１４８】
（実施例４）
湿潤液の付与圧力を表１に示すように変えたこと以外は実施例１と同様にして画像形成と形成された画像の評価を行った。
実施例４では、湿潤液を圧力を加えずに浸漬付与で行ったため、１回目の使用で気にならないわずかな画像流れが見られたが、画像と多孔質体が加圧接触した後は、多孔質体がインクの液体分で均一に濡れたことで、その後の繰り返し使用で画像流れがみられなかった。
【０１４９】
（実施例５）
インクに含まれる界面活性剤をアセチレノールＥ１００（商品名、川研ファインケミカル（株）製）の代わりにメガファックＦ−４４４（商品名、ＤＩＣ社製）に変えたこと以外は実施例４と同様にして画像形成と形成された画像の評価を行った。
【０１５０】
（実施例６）
多孔質体の温度を表１に記載の通りに変更したこと以外は実施例１と同様に画像形成と形成された画像の評価を行った。
【０１５１】
（実施例７）
【０１５２】
多孔質体の温度を表１に記載の通りに変更したこと以外は実施例２と同様に画像形成と形成された画像の評価を行った。
【０１５３】
（実施例８）
【０１５４】
多孔質体の温度を表１に記載の通りに変更したこと以外は実施例３と同様に画像形成と形成された画像の評価を行った。
【０１５５】
（実施例９）
ＰＴＦＥの多孔質体をオプツールＨＤ−１１００ＴＨ（ダイキン工業株式会社製）に浸漬させて表面処理を施し、多孔質体の第一の面に対する水の接触角を低くした以外は実施例１と同様にして画像形成と形成された画像の評価を行った。
【０１５６】
（実施例１０）
ＰＴＦＥの多孔質体をオプツールＤＳ−ＴＨ（ダイキン工業株式会社製）に浸漬させて表面処理を施し、多孔質体の第一の面に対する水の接触角を低くした以外は実施例１と同様にして画像形成と形成された画像の評価を行った。
【０１５７】
（比較例１）
多孔質体に湿潤液を付与せず、その他は実施例１と同様に画像形成と形成された画像の評価を行った。
【０１５８】
（比較例２）
湿潤液に含まれる界面活性剤をＦ−４４４（商品名、ＤＩＣ社製）の代わりに、アセチレノールＥ１００（商品名、川研ファインケミカル（株）製）とし、湿潤液の多孔質体の第一の面に対する接触角が９０°以上となるように調整した。その他は実施例１と同様に画像形成と形成された画像の評価を行った。
【０１５９】
（比較例３）
【０１６０】
多孔質体の温度を表１に記載の通りに変更したこと以外は比較例２と同様に画像形成と形成された画像の評価を行った。
【０１６１】
（比較例４）
ＰＴＦＥの多孔質体の代わりに、ＰＴＦＥの多孔質体をＰＶＡ（ポリビニルアルコール）で処理した親水化ＰＴＦＥの多孔質体を用いたこと以外は、実施例１と同様に画像形成と形成された画像の評価を行った。
【０１６２】
（比較例５）
ＰＴＦＥの多孔質体の代わりに、ＰＴＦＥの多孔質体をＰＶＡ（ポリビニルアルコール）で処理した親水化ＰＴＦＥの多孔質体を用い、かつ、湿潤液を付与しなかったこと以外は、実施例１と同様に画像形成と形成された画像の評価を行った。
【０１６３】
［評価］
以下の評価方法により、各実施例及び比較例におけるインクジェット記録方法の評価を行った。評価結果を表１に示す。なお、下記の各評価項目の評価基準のＡＡ〜Ｂを好ましいレベルとし、Ｃを許容できないレベルとした。
＜色材付着＞
各実施例及び各比較例において、以下の手順で色材付着の評価を行った。
まず、転写体１０１上に形成された画像（第一の画像）に液吸収部材が有する多孔質体の第一の面を接触させる。そして、多孔質体の第一の面を画像から剥離する。この画像から剥離した後の多孔質体の画像と接触した面（第一の面）への色材付着の状態について以下の基準により評価した。多孔質体の第一の面への色材付着は少ないことが好ましい。第一の層であるフッ素樹脂の変形量が小さく、濾過性能が高く、また押圧部材１０５ｂによる多孔質体への押圧力のムラが少ないほど色材付着量は減る傾向があった。
ＡＡ：繰り返し使用（多孔質体を画像に１０回接触）しても色材付着はみられなかった。
Ａ：１回の使用では色材付着はみられなかった。
Ｂ：１回の使用によってわずかに付着がみられたが、気にならないレベルであった。
Ｃ：１回の使用によって色材付着が多くみられた。
【０１６４】
＜画像流れ＞
各実施例及び各比較例において、以下の手順で画像流れの評価を行った。
まず、転写体１０１に形成された画像（第一の画像）に液吸収部材が有する多孔質体の第一の面を接触させる。そして、多孔質体の第一の面を画像から剥離する。この剥離した後の転写上に残された画像（第二の画像）における画像流れを以下の基準で評価した。なお、画像流れとは、画像に多孔質体の第一の面を接触させることにより、画像端部において画像中の色材が移動してしまう現象である。この色材の移動量が少ないほど、画像品位が高く好ましい。
Ａ：繰り返し使用（多孔質体を画像に１０回接触）しても画像流れがみられなかった。
Ｂ：繰り返し使用（多孔質体を画像に１０回接触）した場合にわずかに画像流れがみられたが、気にならないレベルであった。
Ｃ：一回の使用によって、画像流れが大きくみられた。
【０１６５】
【表１】
2017213848.tif 000003
【０１６６】
（実施例１１）
図３に示す転写型インクジェット記録装置の代わりに、直接記録媒体に反応液を付与し、さらにインクを付与する図４に示す直接描画型インクジェット記録装置を用いたこと以外は、実施例１と同様の方法で評価を行った。図４に示す直接描画型インクジェット記録装置における画像評価においては、記録媒体としてグロリアピュアホワイト紙坪量２１０ｇ／ｍ２（五條製紙株式会社製）を用いた。記録媒体以外の、反応液組成、反応液付与装置２０３、インク組成、インク付与装置２０４、記録媒体の搬送速度、液吸収装置２０５は、実施例１で用いた転写型インクジェット記録装置と同様の条件となっている。その結果、実施例１と同じ色材付着、画像流れの評価結果が得られることが確認された。
【符号の説明】
【０１６７】
１                        撥水性の多孔質体
２                        湿潤液
３                        第一の画像
４                        被記録体
５                        水性液体成分
６                        第二の画像
１０５                    液吸収装置
１０５ａ                  液吸収部材
１０５ｂ                  液吸収用の押圧部材
１０５ｃ、ｄ、ｅ          張架ローラ
１１０                    湿潤液付与装置
１１０ａ                  湿潤液収容部
１１０ｂ                  湿潤液付与部材
１１０ｃ                  湿潤液
２０５                    液吸収装置
２０５ａ                  液吸収部材
２０５ｂ                  液吸収用の押圧部材
２０５ｃ、ｄ、ｅ、ｆ、ｇ  張架ローラ
【図１】
2017213848.tif 000004
【図２】
2017213848.tif 000005
【図３】
2017213848.tif 000006
【図４】
2017213848.tif 000007
【図５】
2017213848.tif 000008
【図６】
2017213848.tif 000009
【図７】
2017213848.tif 000010
【図８】
2017213848.tif 000011